(57)【要約】【課題】  引き戸を全開に開いた場合に、その有効開口幅を大きくできる開口部装置を提供すること。【解決手段】  枠体と、この枠体に開閉自在に配置される引き戸２とを備え、この引き戸２が、左右一対の縦框４、５と上框と下框とで四方枠組みされ、この引き戸の戸先側縦框４に、当該引き戸２の取っ手９Ａ、９Ｂを設け、この取っ手９Ａ、９Ｂは、把手部２１Ａ、２１Ｂと、この把手部２１Ａ、２１Ｂを支持するとともに、少なくともその基部が戸先側縦框４の側面から略垂直に延びる支持部２２Ａ、２２Ｂとを備え、この支持部２２Ａ、２２Ｂは、引き戸２を開いた場合に、引き戸２の戸先側縦框４が、嵌め殺し戸の縦框１６にほぼ重なるように、戸先側縦框４の側面の戸先近傍に取り付けられていることを特徴とする。【選択図】      図５
2006257812.tif 000002
【特許請求の範囲】
【請求項１】
枠体と、この枠体に開閉自在に配置される引き戸とを備え、
この引き戸が、左右一対の縦框と上框と下框とで四方枠組みされ、
この引き戸の戸先側縦框に、当該引き戸の取っ手を設け、
この取っ手は、把手部と、この把手部を支持するとともに、少なくともその基部が前記戸先側縦框の側面から略垂直に延びる支持部とを備え、
この支持部は、前記引き戸を全開状態とした場合に、前記戸先側縦框が、相対する引き戸の縦框、又は嵌め殺し戸の縦框、或いは固定壁にほぼ重なるように、前記戸先側縦框の側面の戸先近傍に取り付けられていることを特徴とする開口部装置。
【請求項２】
前記取っ手のうち、少なくとも前記相対する引き戸、又は前記嵌め殺し戸、或いは前記固定壁側に設けられる取っ手は、この取っ手の支持部が板材で形成され、この支持部は、前記相対する引き戸、又は前記嵌め殺し戸、或いは前記固定壁よりも外側で、前記引き戸の戸尻方向に屈曲されていることを特徴とする請求項１に記載の開口部装置。
【発明の詳細な説明】
【技術分野】
【０００１】
本発明は、取っ手が設けられた引き戸を備える開口部装置に関する。
【背景技術】
【０００２】
枠体と、この枠体に開閉自在に配置される引き戸とを備え、この引き戸に当該引き戸を開閉操作するための取っ手を設けた開口部装置が知られている（特許文献１参照）。この種の開口部装置では、上記取っ手は、例えば、引き戸の縦框に、当該引き戸の厚み方向に突出させて取り付けられており、高齢者や身障者などでも容易に、引き戸の開閉操作ができるようになっている。
【特許文献１】特開２０００―０５４７１２号公報
【発明の開示】
【発明が解決しようとする課題】
【０００３】
しかし、従来のものでは、この引き戸を全開に開いた場合、この取っ手と他方の引き戸の縦框とが干渉することにより、当該取っ手の取り付けられた縦框と上記他方の引き戸の縦框とが重なり合うことはない。このため、上記干渉によって当該引き戸の引き残された部分（引き残し代）が大きくなり、その分有効開口幅が小さくなるといった問題があった。
【０００４】
そこで、本発明は、上記事情を考慮してなされたものであり、引き戸を開いた場合に、その有効開口幅を大きくできる開口部装置を提供することを目的とする。
【課題を解決するための手段】
【０００５】
本発明は、枠体と、この枠体に開閉自在に配置される引き戸とを備え、この引き戸が、左右一対の縦框と上框と下框とで四方枠組みされ、この引き戸の戸先側縦框に当該引き戸の取っ手を設け、この取っ手は、把手部と、この把手部を支持するとともに、少なくともその基部が前記戸先側縦框の側面から略垂直に延びる支持部とを備え、この支持部は、前記引き戸を全開状態とした場合に、前記引き戸の戸先側縦框が、相対する引き戸の縦框、又は嵌め殺し戸の縦框、或いは固定壁にほぼ重なるように、前記戸先側縦框の側面の戸先近傍に取り付けられていることを特徴とする。
【０００６】
この発明によれば、引き戸を全開状態とした場合に、この引き戸の戸先側縦框と、相対する引き戸の縦框、又は嵌め殺し戸の縦框、或いは固定壁とが、ほぼ重なり合うため、当該引き戸の引き残し代を小さくすることができ、この分だけ引き戸の有効開口幅を大きくすることができる。
【０００７】
この場合において、取っ手のうち、少なくとも相対する引き戸、又は嵌め殺し戸、或いは固定壁側に設けられる取っ手は、この取っ手の支持部が板材で形成され、この支持部は、相対する引き戸、又は嵌め殺し戸、或いは固定壁よりも外側で、引き戸の戸尻方向に屈曲されている構成としても良い。
【発明の効果】
【０００８】
本発明では、枠体と、この枠体に開閉自在に配置される引き戸とを備え、この引き戸が、左右一対の縦框と上框と下框とで四方枠組みされ、この引き戸の戸先側縦框に当該引き戸の取っ手を設け、この取っ手は、把手部と、戸先側縦框の側面から略垂直に延び、少なくともその基部が、この把手部を支持する支持部とを備え、この支持部は、引き戸を全開状態とした場合に、引き戸の戸先側縦框が、相対する引き戸の縦框、又は嵌め殺し戸の縦框、或いは固定壁にほぼ重なるように、戸先側縦框の側面の先端近傍に取り付けられた構成としたため、この引き戸を全開に開いた場合に有効開口幅を大きくすることができる。
【発明を実施するための最良の形態】
【０００９】
以下、添付図面を参照して本発明の一実施の形態について説明する。本実施形態にかかる開口部装置は、浴室の開口部に設けられるもの（例えば、浴室用引戸）である。図１は、浴室用引戸を浴室内側から見た図であり、図２は、浴室用引戸の横断面図である。
浴室用引戸１００は、浴室の開口部に設けられた枠体１を備え、この枠体１は、上枠１ａと、下枠１ｂと、左右に配置された縦枠１ｃ，１ｄとを四方枠組みして構成されている。この枠体１には、当該枠体１に開閉自在に配置されるサッシ２（引き戸）と、当該枠体１に固定配置される固定サッシ３（嵌め殺し戸）とが設けられている。
【００１０】
サッシ２は、左右一対の縦框４、５と上框６と下框７とで四方枠組みされ、その内側に半透明の樹脂パネル８が配置されている。戸先側の縦框４（戸先側縦框）には、サッシ２の厚み方向（図２中Ｘ方向）に突出するように、サッシ２を開閉操作する一対のバーハンドル（取っ手）９Ａ（図２）、９Ｂが設けられ、このバーハンドル９Ｂの上部に、当該サッシ２を閉じた状態でロックする錠１０が設けられている。
【００１１】
固定サッシ３は、左右一対の縦框１５、１６（図２）と上框１７と下框１８とで四方枠組みされ、その内側に半透明の樹脂パネル１９が配置されている。サッシ２の縦框５及び固定サッシ３の縦框１６（図２）は、召し合わせ框であり、枠体１の中央部で重なりあっている。また、固定サッシ３は、浴室内と浴室外（例えば、脱衣室）とを連通する通気用ガラリ２０を備え、この通気用ガラリ２０は、縦枠１ｄ側に配置される縦框１５に沿って、上框１７から下框１８に渡って形成されている。
【００１２】
図３は、縦框４に取り付けられる一対のバーハンドル９Ａ、９Ｂを示した図であり、図４は、縦框４を示す拡大横断面図である。
浴室外側に配置される一方のバーハンドル９Ａは、図３に示すように、円筒形状をした把手部２１Ａと、この把手部２１Ａを支持する支持部２２Ａとを備える。この支持部２２Ａは、途中で屈曲された平板であり、その先端部には、縦框４に取り付けるための貫通孔２４Ａが形成されている。また、浴室内側に配置される他方のバーハンドル９Ｂは、円筒形状をした把手部２１Ｂと、この把手部２１Ｂを支持する支持部２２Ｂとを備える。この支持部２２Ｂは、途中で屈曲された平板であり、その先端部には、縦框４に取り付けるためのねじ孔２４Ｂが形成されている。また、上記把手部２１Ａ，２１Ｂの上端及び下端には、樹脂製のキャップ２３Ａ、２３Ｂがそれぞれ嵌められている。
【００１３】
縦框４は、図４に示すように、中空の框本体４ａと、この框本体４ａに連なり、上記樹脂パネル８を保持する保持部４ｂとを備えて構成されている。框本体４ａは、その戸先側の端面３１から当該縦框４の見付け方向（図４中Ｙ方向）に延出する一対の片３２Ａ、３２Ｂを備え、これら一対の片３２Ａ、３２Ｂは、サッシ２を閉じた場合に、縦枠１ｃの内側に形成された戸当り５０に当接することにより、浴室用引戸１００の水密性を保持している。また、框本体４ａの内部には、上記一対の片３２Ａ、３２Ｂのうち、浴室内側に設けられた一方の片３２Ｂに連なって延出するリブ３３が形成されている。
【００１４】
また、框本体４ａには、その浴室外側の側面３４の戸先側に開口３４ａが形成されるとともに、浴室内側の側面３５の戸先側に開口３５ａが形成されている。本構成では、開口３４ａは、開口３５ａよりもより戸先に近い位置に形成され、開口３５ａは、上記開口３４ａからバーハンドル９Ａの支持部２２Ａの板厚ｔだけ、縦框４の見付け方向（図中Ｙ方向）戸尻側に、ずらした位置に形成されている。各バーハンドル９Ａ、９Ｂは、その各支持部２２Ａ、２２Ｂを上記開口３４ａ、３５ａを通じて框本体４ａ内に挿入することによって、縦框４の戸先近傍に取り付けられる。
【００１５】
具体的には、各支持部２２Ａ、２２Ｂが、これら開口３４ａ、３５ａを通じて框本体４ａ内に挿入された場合、当該各開口３４ａ、３４ｂは、支持部２２Ａの板厚ｔ分だけずらした位置に設けられているため、各支持部２２Ａ、２２Ｂは、框本体内４ａで重ねられる。このため、框本体４ａの戸先側端面３１に形成された貫通孔５１（図３）を通じて、ねじ５２でねじ止めすることにより、縦框４に固定することができ、従って、各バーハンドル９Ａ、９Ｂを容易に縦框の先端近傍に取り付けることができる。
【００１６】
また、本構成では、バーハンドル９Ａの支持部２２Ａは、縦框４の側面３４から略垂直に延びており、この縦框４の側面３４から略垂直に延びた部分（基部）４０の長さＭは、固定サッシ３の厚みを回避するのに十分な長さに設定されている。このため、この基部４０の長さＭの範囲においては、支持部２２Ａの戸尻側端面４１から上記片３２Ａ、３２Ｂの先端までの距離（引き残し代）Ｐを一定に保つことができる。また、この支持部２２Ａは、縦框４の戸先近傍に取り付けているため、この引き残し代Ｐを従来よりも小さくすることができる。
【００１７】
また、バーハンドル９Ａの支持部２２Ａは、固定サッシ３の外側、すなわち固定サッシ３の厚みを回避した領域で、サッシ２の戸尻方向に屈曲するように構成されている。このため、サッシ２を閉じた場合であっても、バーハンドル９Ａの把手部２１Ａと、浴室外側の壁面５５との間には、所定の距離Ｌ１が設けられる。この所定距離Ｌ１は、把手部２１Ａを握って、サッシ２の開閉操作を行うのに十分な距離に設定されているため、サッシ２の開閉操作を容易に行うことができる。
【００１８】
同様に、バーハンドル９Ｂの支持部２２Ｂは、框本体４ａの浴室内側の面３５から略垂直方向に延びた後に、サッシ２の戸尻方向に屈曲している。このように、支持部２２Ｂを屈曲することにより、サッシ２を閉じた場合であっても、バーハンドル９Ｂの把手部２１Ｂと、浴室内側の壁面５６との間には、所定の距離Ｌ２が設けられる。この所定距離Ｌ２は、把手部２１Ｂを握って、サッシ２の開閉操作を行うのに十分な距離に設定されているため、サッシ２の開閉操作を容易に行うころができる。
【００１９】
また、本構成では、一方のバーハンドル９Ａの支持部２２Ａに形成された貫通孔２４Ａは、当該支持部２２Ａの先端がリブ３３に当接するまで、当該支持部２２Ａを框本体４ａに挿入すると、この框本体４ａの貫通孔５１の位置に適合する位置に設けられている。また、他方のバーハンドル９Ｂの支持部２２Ｂに形成されたねじ孔２４Ｂは、当該支持部２２Ｂの先端が框本体４ａの側面３４の内壁に当接するまで、当該支持部２２Ｂを框本体４ａに挿入すると、この框本体４ａの貫通孔５１の位置に適合する位置に設けられている。
【００２０】
このため、各バーハンドル９Ａ、９Ｂを縦框４に取り付ける場合には、各バーハンドル９Ａ、９Ｂの支持部２２Ａ、２２Ｂの先端が、リブ３３または框本体４ａの内壁に当接するまで、当該支持部２２Ａ、２２Ｂを框本体４ａに挿入するだけで、これら支持部２２Ａ、２２Ｂに形成された貫通孔２４Ａ及びねじ孔２４Ｂを、框本体４ａの貫通孔５１に位置決めすることができる。これによれば、各貫通孔５１、２４Ａ及びねじ孔２４Ｂの位置決め作業が容易になり、従って各バーハンドル９Ａ、９Ｂの取り付け作業を容易に行うことができる。
【００２１】
本実施形態では、固定サッシ３側に設けられたバーハンドル９Ａは、縦框４の戸先側に取り付けられているため、このサッシ２を開いた場合には、図５に示すように、このバーハンドル９Ａの支持部２２Ａと、固定サッシ３の縦框１６の端面１６Ａとが接触する前に、上記サッシ２の縦框４と固定サッシ３の縦框１６とを、ほぼ重ね合わすことができる。このため、サッシ２の引き残し代Ｐを小さくすることができ、この分だけサッシ２の有効開口幅Ｗを従来のものよりも大きくすることができる。
【００２２】
また、本実施形態では、バーハンドル９Ａの支持部２２Ａは平板で形成しているため、支持部２２Ａの厚みｔを薄くすることができる。従って、この支持部の厚みが薄くなった分だけ、サッシ２の引き残し代Ｐを小さくすることができ、この分だけサッシ２の有効開口幅Ｗを大きくすることができる。さらに、この支持部２２Ａは、固定サッシ３の外側で、サッシ２の戸尻側に屈曲しているため、サッシ２の開閉操作を容易に行うことができるとともに、このサッシ２を開いた場合であっても、当該バーハンドル９Ａの把手部２１Ａ及び支持部２２Ａが通行の妨げになることがなく、サッシ２の有効開口幅を狭めることはない。
【００２３】
また、本実施形態では、各バーハンドル９Ａ、９Ｂは、これらバーハンドル９Ａ、９Ｂの支持部２２Ａ、２２Ｂを框本体４ａの各側面３４、３５に形成された開口３４ａ、３５ａから挿入し、当該支持部２２Ａ、２２Ｂ同士を框本体４ａの戸先端面３１側からねじ止めすることによって取り付けられているので、取り付け構造を簡素化するとともに、取り付け作業を容易にすることができる。
【００２４】
以上、本発明を上記実施の形態に基づいて説明したが、本発明はこれに限定されるものではなく、本発明の要旨を逸脱しない範囲での種々の設計変更等が可能である。例えば、本実施形態では、サッシ２と固定サッシ３（嵌め殺し戸）とを備える構成について説明したが、これに限るものではなく、一対のサッシを備える引き違い戸に適用することもできる。この場合であっても、各サッシの引き残し代を小さくすることができ、この分だけサッシの有効開口幅を従来のものよりも大きくすることができる。さらに、本発明をサッシと固定壁とを備えるもの、すなわち片引き戸に適用することもできる。
また、本実施形態では、縦框４の框本体４ａの側面３４、３５に、それぞれ開口３４ａ、３５ａを形成し、この開口３４ａ、３５ａに、バーハンドル９Ａ、９Ｂの支持部２２Ａ、２２Ｂを挿入することで取り付けを行っていたが、縦框４の側面３４、３５の戸先近傍に取り付けができるものであれば、どのような構造であっても良い。
【図面の簡単な説明】
【００２５】
【図１】本発明の実施の形態である浴室用引戸の立面図である。
【図２】浴室用引戸の横断面図である。
【図３】縦框に取り付けられる一対のバーハンドルを示した図である。
【図４】縦框を示す拡大横断面図である。
【図５】サッシが開いた状態を示す図である。
【符号の説明】
【００２６】
１  枠体
２  サッシ（引き戸）
３  固定サッシ（嵌め殺し戸）
４  縦框（戸先側縦框）
４ａ  框本体
９Ａ、９Ｂ  バーハンドル（取っ手）
１６  縦框
２１Ａ、２１Ｂ  把手部
２２Ａ、２２Ｂ  支持部
３４ａ、３５ａ  開口
１００  浴室用引戸（開口部装置）
Ｐ  引き残し代
Ｗ  有効開口幅
【図１】
2006257812.tif 000003
【図２】
2006257812.tif 000004
【図３】
2006257812.tif 000005
【図４】
2006257812.tif 000006
【図５】
2006257812.tif 000007